(57)【特許請求の範囲】
【請求項１】
調理機器の上方に設置され、調理時に発生した油煙を捕集する金属製のフード部を備え、調理時に発生する油煙を屋外へ排出するための送風手段と、前記フード部の前面に前記送風手段の運転を設定するための操作スイッチ部を備え、前記操作スイッチ部は前面に光透過性の絶縁物と誘電体ハーフミラーで形成されたハーフミラー操作面と、前記ハーフミラー操作面の背面側に人の指の接近または接触による静電容量の変化を検出してスイッチを読み込む電極と、前記電極の背面側には運転状況を表示する表示部とを備えたレンジフードであって、前記操作スイッチ部は、前記電極とは別に前スイッチの読み込みには無関係で且つ前記電極と同感度のダミー電極を前記電極が前記フード部との間でコンデンサ結合するのを防止させるよう配置して構成したレンジフード。
【発明の詳細な説明】
【技術分野】
【０００１】
本発明は、油などにより汚れやすい環境に設置されるレンジフードに関する。
【背景技術】
【０００２】
近年、台所や厨房などに設置され、調理時に発生する油煙を排出する換気装置のスイッチ操作部は、比較的高い場所に設置された換気装置の外郭前面部に設けられ、その操作面が斜め下方に傾いており、調理機器の前方に立った使用者が操作し易い構造のものが普及している。
【０００３】
この種の従来の換気装置におけるスイッチ操作部の構造としては、金属の製品外郭に開口部を設け、その背面からスイッチ操作部をはめ込み、運転モードを設定する複数のスイッチ操作ボタン単体もしくはメンブレンシートを貼り付けたスイッチ操作部の意匠枠ごとを突出させる構造のものが知られていた（例えば特許文献１参照）。
【０００４】
以下、その換気装置の構成について図１４を参照しながら説明する。
【０００５】
図１４に示すように、調理機器１０１による調理時に発生する油煙を排出するために、内部に送風機１０２を設けたフード形状の換気装置本体１０３の前面付近にスイッチ操作部１０４が配置され、送風機１０２および照明１０５の動作を設定する複数のスイッチ操作ボタン単体、もしくはメンブレンシートを貼り付けたスイッチ操作部の意匠枠ごと換気装置本体１０３の前面から突出した構成となっていた。また、電装部周辺の機構は集約され、調理機器１０１を照射する照明１０５はスイッチ操作部１０４の上方に設けられ、電装部への油の侵入を防止するための金属製のボトムカバー１０６が設けられ、換気装置本体１０３の下部に形成された捕集空間１０７から吸い込まれた油煙は、フィルター１０８を通過して送風機１０２によりダクトを介して屋外に排出される。
【先行技術文献】
【特許文献】
【０００６】
【特許文献１】特開平９−８９３３５号公報
【発明の概要】
【発明が解決しようとする課題】
【０００７】
このような従来の換気装置では、フード状の換気装置本体１０３にスイッチ操作部１０４の意匠枠もしくは運転モードスイッチ用の開口部が必要であるので、特に調理時の油煙排出する主目的とする換気装置においては、油や油煙の発生によって固着したほこりが意匠枠や開口部によって生じる隙間から侵入しスイッチ操作性が低下する恐れがあり、またスイッチ操作面には、スイッチ操作ボタンの突起もしくはメンブレンシートによる凹凸が生じるので掃除しにくく、掃除しても隙間にごみがたまりやすく、隙間から油が垂れやすくなるという課題があった。
【０００８】
また、調理機器１０１上方に設置される換気装置であるために、火災に対する安全面から製品の筐体は金属で構成されることとなる。主に樹脂成形品で構成されるスイッチ操作部を金属の筐体へはめこむ構成となるために、スイッチ操作部として高級感が出しにくく、製品との調和がとりづらくなり、製品全体のデザイン性を損なうという課題があった。
【０００９】
また、スイッチ自体の構造が機械的接点を使用するものであるため、油の侵入などによるスイッチ操作性の低下、または機械的接点であるが故の接点磨耗が生じ、寿命が短くなるという課題があった。
【００１０】
本発明は、このような従来の課題を解決するもので、運転モードを設定するためのスイッチ操作部の凹凸や隙間をなくしフラット化することで掃除性の向上が図れ、かつ油の侵入による操作性の低下を防ぐことができる換気装置を提供することを目的とする。
【００１１】
また、金属筐体へ組み込まれるスイッチ操作部の表面に金属に近い外観の加工を施すことで、デザイン的に高級感のある換気装置を提供することを目的とする。
【００１２】
また、機械的接点が不要なスイッチ機構を用いることで、接点磨耗が生じることのなく半永久的に使用できる換気装置を提供することを目的とする。
【課題を解決するための手段】
【００１３】
上記課題を達成するために本発明のレンジフードは、調理機器の上方に設置され、調理時に発生した油煙を捕集する金属製のフード部を備え、調理時に発生する油煙を屋外へ排出するための送風手段と、前記フード部の前面に前記送風手段の運転を設定するための操作スイッチ部を備え、前記操作スイッチ部は前面に光透過性の絶縁物と誘電体ハーフミラーで形成されたハーフミラー操作面と、前記ハーフミラー操作面の背面側に人の指の接近または接触による静電容量の変化を検出してスイッチを読み込む電極と、前記電極の背面側には運転状況を表示する表示部とを備えたレンジフードであって、前記操作スイッチ部は、前記電極とは別に前スイッチの読み込みには無関係で且つ前記電極と同感度のダミー電極を前記電極が前記フード部との間でコンデンサ結合するのを防止させるよう配置して構成したことを特徴とする。
【発明の効果】
【００１４】
以上のように本発明のレンジフードによれば、運転モードを設定するためのスイッチ操作部の凹凸や隙間をなくすことで掃除性を向上が図れ、かつ油の侵入による操作性の低下を防ぐことができる。
【００１５】
また、スイッチ操作部の背面側に誘電体ハーフミラー加工を施すことで、各々のスイッチ間の短絡を防止するとともに操作スイッチ部周囲の金属筐体とデザイン的に調和しやすく、高級感のあるスイッチ操作部を実現することができる。
【００１６】
また、機械的接点が不要なスイッチ機構を用いることもできるので、接点磨耗が生じることのなく半永久的に使用できるとともに、スイッチの可動部機構を不要とすることで部品点数を削減でき、スイッチ操作部を小型に形成することができる。
【００１７】
特に、電極と周囲にあるフード部からなり接地される金属筐体との距離が製品の形状により近くせざるを得ない場合、特に５ｍｍ以上確保できない場合などに、スイッチ電極と接地される金属筐体との間でコンデンサ結合しやすくなるのを防止することが可能となり、外来ノイズ等の影響によるスイッチの誤動作を防止することができる。
【図面の簡単な説明】
【００１８】
【図１】本発明の実施の形態１のレンジフードの構成を示す正面図
【図２】同レンジフードの操作スイッチ部の正面図（（ａ）は消灯時の正面図、（ｂ）は点灯時の正面図）
【図３】同レンジフードの操作スイッチ部の断面階層図
【図４】同レンジフードの構成を示すブロック図
【図５】同レンジフードにおけるスイッチを操作した場合の電圧波形を示す図
【図６】同レンジフードにおける電極へのパターン接続例を示す正面図
【図７】同レンジフードにおけるダミー電極を配置した場合の正面図
【図８】同レンジフードにおける高感度電極を配置した場合の正面図
【図９】同レンジフードにおける電極を下方に延設した場合の正面図
【図１０】同レンジフードにおける赤外線受光素子を配置した場合の断面階層図
【図１１】同レンジフードにおける赤外線受光素子を配置した場合の正面図
【図１２】同レンジフードにおけるスイッチを操作した場合のスイッチ相互間の電圧変化を示す図
【図１３】同レンジフードにおけるスイッチ信号の経年変化を示す図
【図１４】従来の換気装置の構成を示す図
【発明を実施するための形態】
【００１９】
本発明の請求項１記載のレンジフードは、調理機器の上方に設置され、調理時に発生した油煙を捕集する金属製のフード部を備え、調理時に発生する油煙を屋外へ排出するための送風手段と、前記フード部の前面に前記送風手段の運転を設定するための操作スイッチ部を備え、前記操作スイッチ部は前面に光透過性の絶縁物と誘電体ハーフミラーで形成されたハーフミラー操作面と、前記ハーフミラー操作面の背面側に人の指の接近または接触による静電容量の変化を検出してスイッチを読み込む電極と、前記電極の背面側には運転状況を表示する表示部とを備えたレンジフードであって、前記操作スイッチ部は、前記電極とは別に前スイッチの読み込みには無関係で且つ前記電極と同感度のダミー電極を前記電極が前記フード部との間でコンデンサ結合するのを防止させるよう配置して構成したことを特徴とするものであり、機械式接点を使用しないで、非接触で人が持つ静電容量を検出してスイッチ操作を認識でき、またスイッチ操作面を掃除する際に剥がれる恐れのある運転モードを表示する枠や文字等の印刷や電極を光透過性の絶縁物の背面側へ配置したことで、スイッチ操作面を凹凸のないフラットで掃除しやすい形状にすることができる。また、誘電体ハーフミラー加工を施すことで、複数のスイッチ電極間の導通を防止し、独立してスイッチ入力を検出できるとともに、スイッチ操作部と金属筐体との質感を合わせることができ、製品として高級感を演出することが可能となる。
特に、電極と周囲にあるフード部からなり接地される金属筐体との距離が製品の形状により近くせざるを得ない場合、特に５ｍｍ以上確保できない場合などに、スイッチ電極と接地される金属筐体との間でコンデンサ結合しやすくなるのを防止することが可能となり、外来ノイズ等の影響によるスイッチの誤動作を防止することができる。
【００２０】
以下、本発明の実施の形態について図１〜図１３を参照しながら説明する。
【００２１】
（実施の形態１）
図１に示すように、ガスコンロ、ＩＨコンロなどの調理機器１の上方に設置される換気装置は、調理時に発生する油煙等を排出する送風手段である送風機２と、この送風機２と油煙を屋外へ導く配管ダクトからなる送風機ユニット３と、調理時に発生した油煙を捕集する金属製のフード部４と、調理機器１を照射する照明５と、フード部４の前面に送風機２および照明５の動作モードを設定する操作スイッチ部６とを設け構成されている。本発明に係る換気装置は、図１に示すように、フード部を有するレンジフードタイプのものや、例えばプロペラ式の換気扇のように、特にフード部を備えていないものも対象としている。
【００２２】
操作スイッチ部６の詳細な構成について図２および図３に示す。図２に換気装置の操作スイッチ部の正面図を示し、図２（ａ）は消灯時の正面図を、図２（ｂ）は点灯時の正面図を示す。フード部４内に設けられた操作スイッチ部６の前面、詳しく言えば使用者が運転モードを設定する操作面側に光透過性の絶縁物７を配置し、その光透過性の絶縁物７の背面側には、送風機２を停止する「切」スイッチ６ａ、「弱」スイッチ６ｂ、「中」スイッチ６ｃ、「強」スイッチ６ｄ、「照明切／入」スイッチ６ｅなどの送風機２または照明５を動作させるためのスイッチ枠や文字等の表示印刷８が施されている。ここで、光透過性の絶縁物７の一例としてガラスやアクリル、ポリカーボネートなどが用いられる。また、フード部４内の必要最低限のエリアのみに光透過性の絶縁物７を配置してあるがこれに限定するものではなく、フード部４の前面全てを光透過性の絶縁物７にて構成しても良い。
【００２３】
また、スイッチ枠や文字等の表示印刷８の背面側には操作スイッチ部６全体を覆うように誘電体ハーフミラー９を蒸着する。ハーフミラーの加工方法としてはアルミ蒸着が一般的ではあるが、導通性があるためにスイッチ間を短絡することとなる。そこで、複数のスイッチ間の短絡を避けるために誘電体ハーフミラー９で構成する。ここで、誘電体ハーフミラー９としては、すず蒸着などが挙げられる。
【００２４】
また、誘電体ハーフミラー９背面側の全体を覆うように、前面からの光の入射を遮断するための黒色系の抑え印刷１０を施し、抑え印刷１０の背面側には運転モードを示す名称に対して一対一で備え付けられ、送風機２および照明５の運転を設定する「切」スイッチ６ａ、「弱」スイッチ６ｂ、「中」スイッチ６ｃ、「強」スイッチ６ｄ、「照明切／入」スイッチ６ｅのスイッチ枠と同等もしくはそれ以上の大きさの光透過性の電極１１を配置する。ここで、意匠的な制約によって、スイッチ枠の大きさを大きくできない場合、もしくは光透過性の絶縁物７の強度確保のために厚みが必要となり、スイッチ感度を確保しなければならない場合などに、前記電極１１の面積をスイッチ枠よりも大きくすることでスイッチ感度を確保することが可能となる。前記光透過性の電極１１は導電性のある接続部材１５を介して背面側に配置されたプリント基板１３へ接続され、プリント基板１３上には光透過性の絶縁物７に向けて光を発するように表示部である発光ダイオード１４を実装して構成する。ここで、抑え印刷１０はプリント基板１３上に実装された表示部である発光ダイオード１４の光を透過させるために、表示させたい文字やピクトの部分を抜き加工を施してある。
【００２５】
図４に示すように、光透過性の電極１１には人体の持つ静電容量が近づいたことを検出する検出回路１６が接続され、検出回路１６が検出したスイッチ入力信号をマイクロコンピューターから成る制御部１７が認識し、スイッチが押されていない状態をスイッチ信号記憶手段１９に記憶させる構成である。制御部１７は送風機２と照明５の運転および停止、発光ダイオード１４の点灯および消灯、スイッチ信号を認識したことを発音体１８を鳴動させ、使用者にお知らせする役割も兼ねている。
【００２６】
図５に検出回路１６が検出する信号の変化を示す。ここでは、操作スイッチ部６の操作面が操作されると電圧が降下する回路構成となっており、制御部１７はスイッチが押されていない時の電圧値Ｖ１をスイッチ信号記憶手段１９へ記憶する。スイッチが押された場合、もしくは指が近づいた際には電圧降下が起こるので、Ｖ１に対してΔＶ以上の電圧降下が発生し、かつ時間Ｔ以上継続した場合にスイッチが押されたと初めて認識することになる。送風機２の運転を設定するスイッチが「切」スイッチ６ａ、「弱」スイッチ６ｂ、「中」スイッチ６ｃ、「強」スイッチ６ｄなど個々に分かれている場合はスイッチの連続押しをあまり気にしなくて良いが、送風機２の速調を「風量」スイッチ一つで完結し、スイッチを押す度に「切」→「弱」→「中」→「強」とロータリー式に設定させる場合には、スイッチを連続押した場合の操作性を向上させるためにも、Ｔは０．０５〜０．１秒程度が望ましい。
【００２７】
上記構成において、換気装置は使用者が操作スイッチ部６に備え付けられた光透過性の絶縁物７に印刷された「切」スイッチ６ａ、「弱」スイッチ６ｂ、「中」スイッチ６ｃ、「強」スイッチ６ｄ、または「照明切／入」スイッチ６ｅを操作した場合は、各スイッチの背面側に配置された各々の光透過性の電極１１から光透過性の絶縁物７を介して人体の持つ静電容量が接地グランドに接続されたこととなり、静電容量の変化を検出回路１６が検出し、制御部１７は最終的なスイッチ信号として認識する。制御部１７はいずれかのスイッチが押されたことを認識して、そのスイッチ操作に対応して送風機２と照明５を動作させるとともに、光透過性の絶縁物７の後方に配置されたプリント基板１３上の発光ダイオード１４を点灯させ、光透過性の絶縁物７と誘電体ハーフミラー９と光透過性の電極１１を透過して、使用者が現在の運転モードを認識できるように表示するとともに、発音体１８を鳴動させ、使用者にスイッチ操作を受け付けたことをお知らせする。
【００２８】
このように本発明では、運転モードを設定するためのスイッチ操作部の操作面の凹凸や隙間のない光透過性の絶縁物で構成しフラット操作面を実現することで、掃除性の向上が図れ、且つ油の浸入によるスイッチ操作性の低下を防ぐことができる。また、スイッチ操作部の背面側に誘電体ハーフミラー加工を施すことで、各々のスイッチ間の短絡を防止するとともに操作スイッチ部周囲の金属筐体とデザイン的に調和しやすく、高級感のあるスイッチ操作部を実現することができる。また、静電容量検出方式を用いて機械的接点が不要なスイッチ機構としたので、接点磨耗が生じることのなく半永久的に使用できるとともに、スイッチの可動部機構を不要とすることで部品点数を削減でき、スイッチ操作部の小型薄型化が実現可能となる。
【００２９】
また、その他の電極の構成を図６に示す。誘電体ハーフミラー９の背面側に配置された運転モードを設定するための「切」スイッチ６ａ、「弱」スイッチ６ｂ、「中」スイッチ６ｃ、「強」スイッチ６ｄ、または「照明切／入」スイッチ６ｅが押されたことを検出する電極１１において、電極１１へ接続する導電パターンを電極１１の上方、詳しく言えば、使用者がスイッチを操作するために指を近づける下方に対して電極１１を挟んだ反対側の一辺１２へ集結して配線し、前記電極１１の背面側に配置されたプリント基板１３へ接続する構成とする。ここで、電極１１と電極へ接続するパターンはＰＥＴなどに印刷された１枚のフィルム形状のものを使用し、背面に配置されたプリント基板１３へコネクタ接続する構成となる。なお、その他の構成は実施の形態１と同様である。
【００３０】
このように、一般的に調理機器の上方に設置される換気装置の操作スイッチ部は下方から操作されるために使用者の指が電極へ接続される導電パターンをまたぐことがないように電極１１を挟んだ上方へ集結して配線することで、スイッチの誤動作を防止し、スイッチ操作性の向上を図ることができる。
【００３１】
また、その他の電極の構成を図７に示す。誘電体ハーフミラー９の背面側に配置された運転モードを設定するための「切」スイッチ６ａ、「弱」スイッチ６ｂ、「中」スイッチ６ｃ、「強」スイッチ６ｄ、または「照明切／入」スイッチ６ｅが押されたことを検出する電極１１において、電極１１とは別にスイッチの読み込みには無関係で且つスイッチの読み込むための電極１１と同感度のダミー電極２０を電極１１の周囲を取り囲むように配置して構成する。ここで、電極１１および同感度のダミー電極２０と電極へ接続するパターンはＰＥＴなどに印刷された１枚のフィルム形状のものを使用し、背面に配置されたプリント基板１３へコネクタ接続する構成となる。なお、その他の構成は実施の形態１と同様である。
【００３２】
このように、接地される金属筐体から成るフード部４内部に配置される操作スイッチ部６において、電極１１と周囲にあるフード部４からなり接地される金属筐体との距離が製品の形状により近くせざるを得ない場合、特に５ｍｍ以上確保できない場合などに、スイッチ電極と接地される金属筐体との間でコンデンサ結合しやすくなるのを防止することが可能となり、外来ノイズ等の影響によるスイッチの誤動作を防止することができる。
【００３３】
また、その他の電極の構成を図８に示す。誘電体ハーフミラー９の背面側に配置された運転モードを設定するための「切」スイッチ６ａ、「弱」スイッチ６ｂ、「中」スイッチ６ｃ、「強」スイッチ６ｄ、または「照明切／入」スイッチ６ｅが押されたことを検出する電極１１において、運転モードを設定するための電極１１よりも人の指の接近を検出しやすい高感度電極２１を電極１１の周囲を取り囲むように配置して構成する。スイッチ検出用の電極１１は人の指が触れないとスイッチ信号を検出しないのに対して、高感度電極２１は、スイッチへの人の指の接近を検出できれば良く、例えば人の指がスイッチに約１０ｍｍ近づいた状態を検出できる感度に調整してある。ここで、電極１１および高感度電極２１と電極へ接続するパターンはＰＥＴなどに印刷された１枚のフィルム形状のものを使用し、背面に配置されたプリント基板１３へコネクタ接続する構成となる。ここで、電極１１と高感度電極２１との距離は、お互いのスイッチ感度に影響を与えないように５ｍｍ以上確保するのが望ましい。なお、その他の構成は実施の形態１と同様である。
【００３４】
このように、スイッチが押されたことを検出する電極１１よりも人の指の接近を検出しやすい高感度電極２１を電極１１の周囲を取り囲むように配置することで、使用者がハーフミラー操作面２２に配置された運転モードを設定するためのスイッチに指を近づけた状態を、高感度電極２１で事前に検出し、スイッチの読み込み処理を開始する構成とすることで、スイッチを操作して運転モードを変更したい場合にのみスイッチ入力を受け付けることができ、人が操作しない場合に印加された外来ノイズ等の影響によるスイッチの誤動作を防止することができる。ハーフミラー操作面２２は、光透過性の絶縁物７とスイッチ枠や文字等の表示印刷８と誘電体ハーフミラー９とを備えている。
【００３５】
また、その他の電極の構成を図９に示す。誘電体ハーフミラー９の背面側に配置された運転モードを設定するための「切」スイッチ６ａ、「弱」スイッチ６ｂ、「中」スイッチ６ｃ、「強」スイッチ６ｄ、または「照明切／入」スイッチ６ｅが押されたことを検出する電極１１をスイッチ枠表示に対して下方にのみ延設した構成とする。なお、その他の構成は実施の形態１と同様である。
【００３６】
このように、電極１１の面積をスイッチ枠表示に対して下方にのみ大きく設けることで、一般的に調理機器の上方に設置される換気装置の操作スイッチ部は下方から操作されるために、使用者の指がスイッチ枠表示内に完全に入っていなくてもスイッチ枠表示の下方に近づいた状態を検出しやすくすることが可能となり、軽く触れるだけでスイッチを操作することが可能となる。
【００３７】
また、他の操作スイッチ部の構成としては図１０および図１１に示すように、操作スイッチ部６の前面に構成した光透過性の絶縁物７の後方に配置されたプリント基板１３上に、赤外線信号を受信するための受信部２３を実装する。光透過性の絶縁物７の背面側には、蛍光灯などの照明機器などから発する外来ノイズの影響を低減するために、特定の波長の赤外線のみ透過する赤外線透過性インク２４を誘電体ハーフミラー９と黒色系の抑え印刷１０との間に印刷する。ここで、抑え印刷１０は赤外線信号を透過させるために受信部２３周辺に抜き加工を施し構成する。なお、その他の構成は実施の形態１と同様である。
【００３８】
このように、調理機器１の上方に設置され、高所に取り付けてある操作スイッチ部６の操作が困難であるために、台所周辺に別途取り付けられ遠隔操作が可能であるリモートコントローラーから送信される赤外線信号を受信するための受信部２３を、操作スイッチ部６の前面に備え付けられた凹凸のない光透過性の絶縁物７を介して受信する構成とする場合には、赤外線受信部用の専用窓を不要にでき、操作スイッチ部６の意匠を変えずにリモコンに対応可能とすることができる。また、受信部２３に外部からの衝撃をかからないようにするための保護機構を光透過性の絶縁物７で兼用することで、別途、外部衝撃保護パーツを設けることを削減できるとともに、前記専用の成形品などの別パーツをはめ込む際に必要な隙間などを不要にすることができ、油の侵入を防止することができる。
【００３９】
また、他の操作スイッチ部６の構成としては図１２に示すように、スイッチが押されていない場合のスイッチ信号Ｖ０（以下、基準値Ｖ０とする）と、人の指が接近もしくは接触する際に変化するスイッチ信号Ｖ１〜Ｖ５とを比較して、変化量の多い上位２箇所のスイッチが隣接して配置している場合に、最も変化量の多いスイッチ信号のみを有効とすることもできる。ここでは、基準値Ｖ０に対して変化量の多いスイッチ信号Ｖ１とＶ２が隣接しているために、最も変化量の多いスイッチ信号Ｖ１が押されていると判断することができる。また、別の例として、基準値Ｖ０に対して変化量の多いスイッチ信号Ｖ１〜Ｖ３が隣接しているために、そのスイッチ周辺が押されていると判断し、最も変化量の多いスイッチ信号Ｖ１が押されていると最終的に判断することも可能である。なお、その他の構成は実施の形態１と同様である。
【００４０】
このように、人の指が近づいたことを複数のスイッチ入力の変化量から判断し指の動きを検出することで、スイッチ入力をより確実なものとし、安定したスイッチ操作性を実現することができるとともに、意匠の関係上、どうしてもスイッチ間ピッチを狭くせざるを得ない場合などに、スイッチ枠に対して左右方向に若干ずれた箇所を操作した場合においても、最も近づいたスイッチを認識し動作させることも可能となり、スイッチ操作性を更に向上させることもできる。
【００４１】
また、通電初期状態つまり油煙等でスイッチ表面が汚れていない場合における全てのスイッチ信号をスイッチ信号記憶手段１９へ記憶し、前記通電初期時のスイッチ信号Ｖａと、油煙や粉塵などで汚れたことが予想される例えば半年経過後の人の指で押されていない場合のスイッチ信号Ｖｂとを比較して、変化量がある一定の電圧ΔＶ以上、例えば、ΔＶ＝Ｖａ／１０以上の変化量である場合は、操作スイッチ部６表面が汚れていると判断し、発光ダイオード１４による表示もしくは発音体１８を鳴動させることにより、使用者にメンテナンス時期をお知らせする。なお、その他の構成は実施の形態１と同様である。
【００４２】
このように、人の指で押されていない場合のスイッチ信号の変化量から、スイッチ操作部の汚れを判断し、使用者にメンテナンス時期をお知らせする構成とすることで、調理機器の上方に設置されるがために油やほこりが付着しやすい操作スイッチ部６表面上において、汚れによってスイッチ間が短絡状態となり、操作できなくなるのを防止することが可能となる。
【産業上の利用可能性】
【００４３】
本発明にかかるレンジフードは、金属筐体へ組み込まれるスイッチ操作部の表面に金属に近い外観のハーフミラー操作面を介して、機械式接点を用いず静電容量の変化を検出するスイッチ構成とすることから、スイッチ操作部のデザイン性を向上させなければならない装置や、油の付着または侵入などで電装部の寿命低下が懸念される装置に有用である。
【符号の説明】
【００４４】
１    調理機器
２    送風機
６    操作スイッチ部
６ａ  「切」スイッチ
６ｂ  「弱」スイッチ
６ｃ  「中」スイッチ
６ｄ  「強」スイッチ
６ｅ  「照明切／入」スイッチ
７    光透過性の絶縁物
８    表示印刷
９    誘電体ハーフミラー
１０  抑え印刷
１１  電極
１２  一辺
１３  プリント基板
１４  発光ダイオード
１５  接続部材
１９  スイッチ信号記憶手段
２０  ダミー電極
２１  高感度電極
２２  ハーフミラー操作面
２３  受信部
【図１】
0004821227.tif 000002
【図２】
0004821227.tif 000003
【図３】
0004821227.tif 000004
【図４】
0004821227.tif 000005
【図５】
0004821227.tif 000006
【図６】
0004821227.tif 000007
【図７】
0004821227.tif 000008
【図８】
0004821227.tif 000009
【図９】
0004821227.tif 000010
【図１０】
0004821227.tif 000011
【図１１】
0004821227.tif 000012
【図１２】
0004821227.tif 000013
【図１３】
0004821227.tif 000014
【図１４】
0004821227.tif 000015